(57)【要約】【課題】マイナスイオン効果の大きなファンヒーターを提供することを目的とする。【解決手段】本実施例のファンヒーター１によれば、マイナスイオン発生器２４のマイナス電極２５をバーナ７よりも下流側の燃焼ガス流路中に設けているため、燃焼によって発生した燃焼ガス中のプラスイオンを引き寄せてトラップすることができる。この結果、燃焼によって発生したほぼ同数のプラスイオンとマイナスイオンの比率は、マイナスイオン側に大きく偏る。従って、マイナスイオン発生器２４単品での発生イオン個数よりも、多くのマイナスイオンを放出することが可能となり、マイナスイオン効果をより一層大きなものとすることができる。【選択図】図１
2005069543.tif 000002
【特許請求の範囲】
【請求項１】
燃料ガスを燃焼するバーナと、
上記バーナの燃焼ガスと外部空気とをそれぞれ吸引し、該燃焼ガスと該外部空気とを混合して吹出口から送出するファンと、
基準電極とマイナス電極間に電圧を印可することにより、マイナスイオンを発生させるマイナスイオン発生器と
を備えたファンヒーターにおいて、
上記バーナよりも下流側の燃焼ガス流路中に、上記マイナスイオン発生器の電極を配置したことを特徴とするファンヒーター。
【請求項２】
上記燃焼ガスと上記外部空気との合流部よりも下流側の燃焼ガス流路中に、上記マイナスイオン発生器の電極を配置したことを特徴とする請求項１記載のファンヒーター。
【請求項３】
上記マイナスイオン発生器の基準電極を器具本体を形成する金属板で兼用したことを特徴とする請求項１又は請求項２記載のファンヒーター。
【発明の詳細な説明】
【技術分野】
【０００１】
本発明は、マイナスイオン発生器を備えたファンヒーターに関する。
【背景技術】
【０００２】
従来から、エアコンや空気清浄機や扇風機等の電気機器にマイナスイオン発生器を取り付け、リフレッシュ効果をねらった器具が知られている（例えば、特許文献１参照）。
【特許文献１】特開２００２−２６３１８２号公報
【発明の開示】
【発明が解決しようとする課題】
【０００３】
しかしながら、バーナの燃焼ガスをファンによって送風して室内を暖房するファンヒーターにマイナスイオン発生器を取り付けようとした場合には、マイナスイオン発生器で発生するマイナスイオンよりもはるかに多量のプラスイオンとマイナスイオンとが燃焼によって発生するため、マイナスイオン発生器で発生させたマイナスイオンの効果が小さくなってしまうという問題があった。尚、燃焼によって発生するプラスイオンとマイナスイオンとは、ほぼ同数である。
本発明は上記課題を解決し、マイナスイオン効果の大きなファンヒーターを提供することを目的とする。
【課題を解決するための手段】
【０００４】
上記課題を解決する本発明の請求項１記載のファンヒーターは、
燃料ガスを燃焼するバーナと、
上記バーナの燃焼ガスと外部空気とをそれぞれ吸引し、該燃焼ガスと該外部空気とを混合して吹出口から送出するファンと、
基準電極とマイナス電極間に電圧を印可することにより、マイナスイオンを発生させるマイナスイオン発生器と
を備えたファンヒーターにおいて、
上記バーナよりも下流側の燃焼ガス流路中に、上記マイナスイオン発生器の電極を配置したことを要旨とする。
【０００５】
また、本発明の請求項２記載のファンヒーターは、上記請求項１記載のファンヒーターにおいて、
上記燃焼ガスと上記外部空気との合流部よりも下流側の燃焼ガス流路中に、上記マイナスイオン発生器の電極を配置したことを要旨とする。
【０００６】
また、本発明の請求項３記載のファンヒーターは、上記請求項１又は請求項２記載のファンヒーターにおいて、
上記マイナスイオン発生器の基準電極を器具本体を形成する金属板で兼用したことを要旨とする。
【発明の効果】
【０００７】
上記構成を有する本発明の請求項１記載のファンヒーターは、バーナの燃焼ガスと外部空気との混合気をファンにより送出して室内を暖房するとともに、マイナスイオン発生器で発生させたマイナスイオンによってリフレッシュ効果を得ることができる。
そして、マイナスイオン発生器の電極をバーナよりも下流側の燃焼ガス流路中に設けているため、燃焼によって発生した燃焼ガス中のプラスイオンを引き寄せて捕捉する。従って、燃焼によって発生したほぼ同数のプラスイオンとマイナスイオンの比率をマイナスイオン側に大きく偏らせることができる。この結果、マイナスイオン発生器単品での発生イオン個数よりも、多くのマイナスイオンを放出することが可能となり、マイナスイオン効果をより一層大きなものとすることができる。
【０００８】
また、本発明の請求項２記載のファンヒーターは、マイナスイオン発生器の電極を燃焼ガスと外部空気との合流部よりも下流側に設けているため、電極の周りの雰囲気温度を低くすることができ、電極の耐久性が向上する。
【０００９】
また、本発明の請求項３記載のファンヒーターは、基準電極を器具本体を形成する金属板で兼用しているため、基準電極を別個に設ける必要がなくなり製造コストを抑制できる。しかも、器具本体を基準電極としているため、広い電極面を形成することができ、マイナスイオンの発生量を増加させることが可能となる。
【発明を実施するための最良の形態】
【００１０】
ファンヒーターにおいてマイナスイオンの効果を顕著にするという目的を、大きなコストアップをすることなく実現した。
【実施例１】
【００１１】
以上説明した本発明の構成・作用を一層明らかにするために、以下本発明のファンヒーターの好適な実施例について図１〜図４を用いて説明する。
ファンヒーター１の本体ケース２は、正面部となる前面パネル３と、側面と背面とからなるバックケース４と、操作部５を備えた頂部となるトップパネル６とからなる。
【００１２】
この本体ケース２内には、中央よりもやや左寄りにバーナ７とファン８とが設けられ、このバーナ７は、上部が開口した燃焼室９内に配置される。また、燃焼室９の右側には、図３に示されるように、収納部１０が設けられ、ファン８のモータ３２やバーナ７へのガス供給管３３、比例弁３４、コントローラ３５等の部品が収納される。
また、燃焼室９の周囲には、図１に示されるように、下部が開口した仕切板１１が設けられる。
【００１３】
また、バックケース４の背面には、仕切板１１の上部へ給気する第一給気口１２と、燃焼室９上部へ給気する第二給気口１３と、バーナ７へ給気するための第三給気口１４と、ファン８へ給気する第四給気口１５とが形成され、その後部にはこれらの給気口を覆うフィルター１６が設けられる。
仕切板１１の中央やや下方には、図３に示すように、複数の円状の連通口１７が横一列で設けられる。また、連通口１７の下方には、横長矩形状の横長連通口３６が設けられる。
【００１４】
本体ケース２の前面パネル３には、図１，図２に示されるように、下部に吹出口１８が前面パネル３の左右両端近傍まで形成される。吹出口１８には、円弧状のルーバ１９が上下に複数段配置される。
【００１５】
ファンヒーター１の空気流路は、図１に示されるように、第一給気口１２を入口とし仕切板１１と本体ケース２との間を通り連通口１７や横長連通口３６を介してファン８へ向かう第一給気路２０と、第二給気口１３を入口とし燃焼室９の上部を通って仕切板１１との間へ向かう第二給気路２１と、第三給気口１４を入口とし燃焼室９内を通って第二給気路２１と合流して燃焼室９と仕切板１１との間を通りファン８へ向かう第三給気路２２と、ファン８から吹出口１８までの吹出流路２３とからなる。
【００１６】
また、収納部１０には、マイナスイオン発生器２４が設けられる。
マイナスイオン発生器２４のマイナス電極２５は、図１に示すように、円柱形金属棒状の電極ロッド２６と、電極ロッド２６を取り囲み周りから絶縁する碍子部２７とからなる。このマイナス電極２５は、複数の連通口１７の内の一つ（器具中心に設けられた連通口１７）に垂直に挿通されフランジ部２９を固定部材３０によって仕切板１１に固定される。従って、電極ロッド２６は、燃焼ガスの通路となる第三給気路２２を横切って、燃焼室９を形成する金属板に対向する。
また、図３に示すように、マイナスイオン発生器２４の基準電極３１は、バーナ７にガス供給管３３やダンパーを取り付けている金属製の取付板２８に接地される。従って、ファンヒーター１を構成する材料は、ほとんどが金属製の材料からなっており器具全体が電気的に接続された状態となっているので、器具全体が基準電極（０Ｖ）として兼用されたことになる。
尚、マイナスイオン発生器２４自体は、外側が樹脂で覆われており周りから絶縁された状態となっている。
【００１７】
上述のように構成されたファンヒーター１では、器外の燃焼用空気が第三給気口１４からファン８の回転により吸引され、第三給気路２２を流れて燃焼室９内で一部燃焼用空気として使用され、残りはバーナ７からの燃焼ガスと混合して加熱され、燃焼室９の上方を流れる第二給気口１３からの空気と合流し、第一給気路２０を通ってきた第一給気口１２からの空気と合流した後、ファン８ヘ直接流れる第四給気口１５からの空気と混合して温風となり吹出口１８のルーバ１９の間を通って送出される。
【００１８】
また、バーナ７の燃焼開始と同時にマイナスイオン発生器２４をＯＮして、マイナス電極２５に約−５ｋＶ（器具本体に対して）の高電圧を発生させる。
これによって、燃焼ガス中の水分子に電子を帯電させてマイナスイオンを発生させ温風とともに送出する。さらに、このマイナス電極２５は、燃焼ガス中のプラスイオンを引き寄せて捕捉する。
【００１９】
ここで、イオンの動きについて図４を用いて説明する。
燃焼に供される前の外部空気の電位は、ほぼ±０である（大地電位）。そして、燃焼によって燃焼ガスは、プラスイオンとマイナスイオンとに電離した状態（主に、燃焼ガスの燃焼反応により生成した水分子に電荷が帯電した状態）となる。
燃焼ガスがマイナス電極の近傍を通過する際に、プラスイオン（プラス帯電の水分子）がマイナス電極に引き付けられてトラップされる。この際同時に、マイナス電極によって、帯電していない（大地電位の）水分子をマイナスに帯電させてマイナスイオンを生成する。
この結果、吹出口１８から送出される温風には、トラップしきれなかった若干のプラス帯電の水分子（プラスイオン）と、燃焼で電離されたマイナス帯電の水分子（マイナスイオン）と、マイナス電極によって帯電されたマイナス帯電の水分子（マイナスイオン）とが混在している。
【００２０】
また、表１に、イオン数測定器によって測定した温風中のプラスイオンとマイナスイオンの個数を示す。
【００２１】
【表１】
2005069543.tif 000003
【００２２】
「燃焼のみ」というのは、マイナスイオン発生器２４がＯＦＦの状態でバーナ７を燃焼させた時の温風中のイオンの個数であり、「外気」というのは、バーナ７とマイナスイオン発生器２４の両方ともがＯＦＦの状態でファン８のみを運転した時の送風中のイオンの個数であり、「発生器のみ」というのは、バーナ７燃焼停止状態でマイナスイオン発生器２４をＯＮしてファン８を運転した時の送風中のイオンの個数であり、「燃焼及び発生器」というのは、マイナスイオン発生器２４がＯＮの状態でバーナ７を燃焼させた時の温風中のイオンの個数である。
この表からも明らかなように、燃焼のみの場合には、マイナスイオンとほぼ同数のプラスイオンが存在するため、リフレッシュ効果等のマイナスイオンの効果はない。これに対して、マイナスイオン発生器２４をＯＮにすると、単純にその能力分のマイナスイオンが足されるだけでなく、プラスイオンを減少させることによって相対的なマイナスイオンの比率が高まり、大きなマイナスイオン効果が得られる。
【００２３】
以上説明したように、本実施例のファンヒーター１では、マイナスイオン発生器２４のマイナス電極２５をバーナ７よりも下流側の燃焼ガス流路中に設けているため、燃焼によって発生した燃焼ガス中のプラスイオンを引き寄せてトラップすることができる。この結果、燃焼によって発生したほぼ同数のプラスイオンとマイナスイオンの比率は、マイナスイオン側に大きく偏る。従って、マイナスイオン発生器２４単品での発生イオン個数よりも、多くのマイナスイオンを放出することが可能となり、マイナスイオン効果をより一層大きなものとすることができる。しかも、電極ロッド２６を燃焼ガスの流路となる第三給気路２２を横切り燃焼室９と向かい合わせて配置して燃焼室９に向かって放電させているため、第三給気路２２を流れる燃焼ガスに効率よく電圧を印可させることができ一層効果的である。
また、マイナスイオン発生器２４のマイナス電極２５を燃焼ガスと外部空気との合流部よりも下流側に設けているため、マイナス電極２５の周りの雰囲気温度を低くすることができ、耐久性が向上する。
また、基準電極３１を器具本体に接地させている、すなわち、器具本体を基準電極として兼用させているため、基準電極を別個に設ける必要がなくなり製造コストを抑制できる。しかも、器具本体を基準電極としているため、広い電極面を形成することができ、マイナスイオンの発生量を増加させることが可能となる。
【００２４】
以上本発明の実施例について説明したが、本発明はこうした実施例に何等限定されるものではなく、本発明の要旨を逸脱しない範囲において、種々なる態様で実施し得ることは勿論である。
【産業上の利用可能性】
【００２５】
バーナの燃焼ガスを送風することによって暖房を行う温風暖房機等に適用可能である。
【図面の簡単な説明】
【００２６】
【図１】実施例１としてのファンヒーターの断面図である。
【図２】実施例１としてのファンヒーターの外観図である。
【図３】実施例１としてのファンヒーターの前面パネルを外した状態の正面図である。
【図４】イオンの動きを示す説明図である。
【符号の説明】
【００２７】
１  ファンヒーター
７  バーナ
８  ファン
１１  仕切板
１７  連通口
１８  吹出口
２０  第一給気路
２２  第三給気路
２４  マイナスイオン発生器
２５  マイナス電極
３１  基準電極
【図１】
2005069543.tif 000004
【図２】
2005069543.tif 000005
【図３】
2005069543.tif 000006
【図４】
2005069543.tif 000007